(57)【要約】【課題】カマ係合金具の引戸開閉方向への調整が可能となる引戸用ストライクを得、チリ寸法の調整を可能とし、確実な施錠状態の実現、及びメンテナンス性の向上を図る。【解決手段】開口部の縦枠に凹設され箱状の凹部３１を有したトロヨケ１１と、トロヨケ１１の凹部３１に一対の脚部３９が収容され脚部３９に架橋した掛合部２７が凹部３１から突出されるカマ係合金具１３と、縦枠に固定されカマ係合金具１３の掛合部２７を貫通させ且つ引戸から突出されるカマ錠を凹部３１へ進入させるカマ進入穴４１の形成された化粧板１５と、化粧板１５の表面に操作部４９ａが表出して回動自在に支持され凹部内で駆動ナット５１が軸線方向に移動自在に螺合された調整ネジ４９と、駆動ナット５１とカマ係合金具１３との間に介装され駆動ナット５１の移動に従動して上下動することでカマ係合金具１３を引戸開閉方向に進退駆動するサイドブラケット５７とを設けた。【選択図】      図１
2008297813.tif 000002
【特許請求の範囲】
【請求項１】
開口部の縦枠に凹設され箱状の凹部を有したトロヨケと、
該トロヨケの前記凹部に一対の脚部が収容され該一対の脚部に架橋した掛合部が前記凹部から突出されるカマ係合金具と、
前記縦枠に固定され該カマ係合金具の前記掛合部を貫通させ且つ引戸から突出されるカマ錠を前記凹部へ進入させるカマ進入穴の形成された化粧板と、
該化粧板の表面に操作部が表出して回動自在に支持され前記凹部内で駆動ナットが軸線方向に移動自在に螺合された調整ネジと、
前記駆動ナットと前記カマ係合金具との間に介装され前記駆動ナットの移動に従動して上下動することで前記カマ係合金具を引戸開閉方向に進退駆動するサイドブラケットと、
を具備したことを特徴とする引戸用ストライク。
【請求項２】
前記サイドブラケットが、
前記駆動ナットに係合して該駆動ナットの移動によりサイドブラケット自体を上下動させる第１傾斜溝と、
前記カマ係合金具に固定されたピンに係合して前記サイドブラケットの上下動によって該ピンを介し前記カマ係合金具を前記進退駆動する第２傾斜溝と、
を具備したことを特徴とする請求項１記載の引戸用ストライク。
【請求項３】
前記第２傾斜溝が、前記第１傾斜溝よりも下り方向に急傾斜で形成されたことを特徴とする請求項２記載の引戸用ストライク。
【発明の詳細な説明】
【技術分野】
【０００１】
本発明は、引戸の設けられた開口部の縦枠に取り付けられ、引戸の縦框から突出されるカマ錠に係合される引戸用ストライクに関し、特に、カマ錠と係合するカマ係合金具を引戸開閉方向に調整可能とした改良技術に関する。
【背景技術】
【０００２】
例えば、引戸の施錠装置には、引戸に設けられた錠本体からカマ錠を突出させ、このカマ錠を縦枠に設けた引戸用ストライク板に係合させることで、引戸を開放不能に施錠するものがある。従来、この種の施錠装置に用いられる引戸用ストライク板は、一般的に縦枠に凹設される凹部を有したトロヨケと、このトロヨケを覆い、カマ錠の進入・係合するカマ進入穴の形成された化粧板とから構成される。そして、引戸が閉められ、引戸の縦框が、開口枠の縦枠に当接すると、引戸に設けられた錠本体からカマ錠が突出され、カマ錠は引戸用ストライク板のカマ進入穴に進入し、先端がカマ進入穴の裏面縁部に係合することで、引戸用ストライク板にロックされ、引戸を開放不能に施錠する。カマ錠の係合される化粧板は、引戸の開放時、縦枠の戸当たり面で表出するため、表面が鏡面又はヘアーライン等により化粧仕上げされる。
【０００３】
ところが、この種の引戸用ストライク板は、カマ錠が化粧板に形成されたカマ進入穴の裏面縁部に係合する構造となっているため、化粧板に対し、カマ錠との係合強度と、デザイン性の両方が要求され、両機能を充分に満足させることが困難であった。すなわち、化粧板は、頻繁な係合・係合解除に対し耐磨耗性が高く且つ高強度であることが要求される一方で、デザイン性を重視した鏡面仕上げとすること等が要求される。そして、単なる板状の化粧板に形成されたカマ進入穴に、カマ錠を係合させる構造では、充分な係合強度を得ることができないとともに、化粧板に直接、カマ錠を係合させるので、経年劣化によって、化粧板に歪み、擦れ等が生じ、意匠性が損なわれ易い問題があった。
【０００４】
また、頻繁な係合・係合解除によって係合部分が磨耗すれば、外観に未だ問題の無い化粧板全体を交換しなければならず、不経済なメンテナンスが強いられることにもなった。さらに、板状の化粧板にカマ錠を係合させる構造では、カマ錠と化粧板との係合部分が視認され易く、高い防犯性能を確保し難い問題があった。
【０００５】
このような不具合を解消したものに特許文献１に開示される引戸用ストライク板がある。この引戸用ストライク板は、縦枠に凹設される箱状の凹部を有したトロヨケと、このトロヨケの凹部に一対の脚部が収容され一対の脚部に略Ｕ字状に屈曲して架橋された掛合部が凹部から突出されるカマ係合金具と、挿通された一対の化粧板固定部材をトロヨケ及び縦枠に挿着させることで縦枠に略面一に固定されてカマ係合金具の凹部からの脱落を阻止するとともに、カマ係合金具の掛合部を貫通させ且つ引戸の縦框から突出されるカマ錠を凹部へ進入させるためのカマ進入穴の形成された化粧板とを具備してなる。
【０００６】
この引戸用ストライク板によれば、トロヨケと、カマ係合金具と、化粧板とが別体で形成され、カマ係合金具がトロヨケの凹部に収容され、化粧板がトロヨケと共に固定されることで縦枠に取り付けられる。したがって、それぞれの部材が、その部材の用途に適した最適な材料、或いは仕上げで製作可能になる。
【０００７】
例えば、カマ係合金具の場合、カマ錠との頻繁な係合・係合解除に対し耐磨耗性が高く、且つ高強度の材料で製作することができ、化粧板の場合、デザイン性を重視した鏡面仕上げとすることができ、また、トロヨケの場合、耐磨耗性やデザイン性を重視する必要なく一般的な安価な材料を用いて製作することができる。そして、カマ錠との係合部分が、略Ｕ字状に屈曲されて剛性が高まり、単にカマ進入穴の縁部に係合させる場合に比べてカマ錠との係合強度が高められる。また、化粧板を取り外すことで、カマ係合金具が脱着可能となり、カマ錠との係合によって経年劣化したカマ係合金具の容易な交換が可能となった。
【特許文献１】特開２００２−２１３１１６号公報
【発明の開示】
【発明が解決しようとする課題】
【０００８】
しかしながら、特許文献１に開示された従来の引戸用ストライク板は、化粧板から突出するカマ係合金具が固定構造で取り付けられていた。つまり、引戸開閉方向への調整機構を備えてなかった。引戸用ストライク板を備えた引戸用施錠装置は、錠機構側からカマ錠が揺動回転して出てくることで、カマ錠先端とスライダー先端とでカマ係合金具の掛合部を挟む構造となっている。したがって、各部材の寸法誤差により、或いは、経年摩耗で互いの掛かり具合が変化した場合には、縦枠と引戸に間隙、所謂チリが生じ、閉鎖時において引戸が隙間なく正しく閉まらない状態が発生した。このチリは、引戸開閉方向の間口が大きくなればなるほど大きくなるおそれがある。この他、施工作業性上、カマ錠の掛かる位置、すなわち、掛合部を調整可能とし、誤差を解消して、チリをできるだけ設計通りとしたい要請もあった。また、風や振動による引戸のガタツキを排除するためにも、掛かり具合を調整可能としたい要請もあった。さらに、経年摩耗により互いの掛かり具合が変化した場合では、メンテナンス時に調整したい要請もあった。
【０００９】
本発明は上記状況に鑑みてなされたもので、カマ係合金具の引戸開閉方向への調整が可能となる引戸用ストライクを提供し、もって、チリ寸法を調整可能とし、確実な施錠状態の実現、及びメンテナンス性の向上を図ることを目的とする。
【課題を解決するための手段】
【００１０】
次に、上記の課題を解決するための手段を、実施の形態に対応する図面を参照して説明する。
本発明の請求項１記載の引戸用ストライクは、開口部の縦枠２１に凹設され箱状の凹部３１を有したトロヨケ１１と、
該トロヨケ１１の前記凹部３１に一対の脚部３９が収容され該一対の脚部３９に架橋した掛合部２７が前記凹部３１から突出されるカマ係合金具１３と、
前記縦枠２１に固定され該カマ係合金具１３の前記掛合部２７を貫通させ且つ引戸１７から突出されるカマ錠２５を前記凹部３１へ進入させるカマ進入穴４１の形成された化粧板１５と、
該化粧板１５の表面に操作部４９ａが表出して回動自在に支持され前記凹部内で駆動ナット５１が軸線方向に移動自在に螺合された調整ネジ４９と、
前記駆動ナット５１と前記カマ係合金具１３との間に介装され前記駆動ナット５１の移動に従動して上下動することで前記カマ係合金具１３を引戸開閉方向に進退駆動するサイドブラケット５７と、
を具備したことを特徴とする。
【００１１】
この引戸用ストライクでは、化粧板１５に表出する調整ネジ４９の操作部４９ａが回動されると、調整ネジ４９に螺合した駆動ナット５１が引戸開閉方向へ移動され、この駆動ナット５１に係合したサイドブラケット５７が上下動される。サイドブラケット５７が上下動すると、サイドブラケット５７に係合したカマ係合金具１３が引戸開閉方向へ進退移動される。つまり、カマ係合金具１３は、駆動ナット５１が移動することで、サイドブラケット５７を介して引戸開閉方向へ進退調整が可能となる。
【００１２】
請求項２記載の引戸用ストライクは、前記サイドブラケット５７が、
前記駆動ナット５１に係合して該駆動ナット５１の移動によりサイドブラケット自体を上下動させる第１傾斜溝５９と、
前記カマ係合金具１３に固定されたピン６１に係合して前記サイドブラケット５７の上下動によって該ピン６１を介し前記カマ係合金具１３を前記進退駆動する第２傾斜溝６３と、
を具備したことを特徴とする。
【００１３】
この引戸用ストライクでは、駆動ナット５１とカマ係合金具１３との間にサイドブラケット５７が介在し、駆動ナット５１と第１傾斜溝５９、第２傾斜溝６３とピン６１の二箇所の係合構造によってカマ係合金具１３が間接的に駆動される。これにより、駆動ナット５１によりカマ係合金具１３が直接駆動される場合に比べ、引戸閉止時の衝撃が駆動ナット５１に伝達され難くなり、長期に渡って掛合部２７が変位し難く保持される。
【００１４】
請求項３記載の引戸用ストライクは、前記第２傾斜溝６３が、前記第１傾斜溝５９よりも下り方向に急傾斜で形成されたことを特徴とする。
【００１５】
この引戸用ストライクでは、調整ネジ４９側の操作力が小さくなり、チリ調整が容易になるとともに、カマ係合金具１３側の衝撃耐力が大きくなり、掛合部２７が変位し難くなる。また、カマ係合金具１３側の第２傾斜溝６３が、急傾斜であることから、引戸開閉方向の距離の短縮が可能となり、その分、トロヨケ１１、サイドブラケット５７、カマ係合金具１３の奥行き寸法、すなわち引戸開閉方向の寸法が浅くなる。
【発明の効果】
【００１６】
本発明に係る請求項１記載の引戸用ストライクによれば、トロヨケに収容され掛合部が突出されるカマ係合金具と、縦枠に固定されカマ進入穴の形成された化粧板と、化粧板に操作部が表出し駆動ナットが移動自在に螺合された調整ネジと、駆動ナットとカマ係合金具との間に介装され駆動ナットの移動に従動してカマ係合金具を引戸開閉方向に進退駆動するサイドブラケットとを備えたので、化粧板に表出する調整ネジを回動することで、サイドブラケットを介してカマ係合金具の引戸開閉方向への調整を可能にすることができる。この結果、チリ寸法を調整可能とし、確実な施錠状態を実現し、メンテナンス性も向上させることができる。
【００１７】
請求項２記載の引戸用ストライクによれば、サイドブラケットが、駆動ナットに係合して駆動ナットの移動によりサイドブラケット自体を上下動させる第１傾斜溝と、カマ係合金具に固定されたピンに係合してサイドブラケットの上下動によってピンを介しカマ係合金具を進退駆動する第２傾斜溝とを備えたので、駆動ナットとカマ係合金具との間にサイドブラケットが介在し、駆動ナットと第１傾斜溝、第２傾斜溝とピンの二箇所の係合構造によってカマ係合金具が間接的に駆動され、駆動ナットによりカマ係合金具が直接駆動される場合に比べ、引戸閉止時の衝撃が駆動ナットに伝達され難くなり、長期に渡って掛合部を変位し難く保持できる。これにより、チリ、すなわち閉鎖時の間隙が増大することによる見栄えの低下、防犯性の低下を防止することができる。
【００１８】
請求項３記載の引戸用ストライクによれば、第２傾斜溝が、第１傾斜溝よりも下り方向に急傾斜で形成されたので、調整ネジ側の操作力を小さくしてチリ調整を容易にできるとともに、カマ係合金具側の衝撃耐力を大きくして、掛合部を変位し難くできる。また、カマ係合金具側の第２傾斜溝は、急傾斜なので、引戸開閉方向の距離を短くでき、その分、トロヨケ、サイドブラケット、カマ係合金具の奥行き寸法（引戸開閉方向の寸法）を浅くして、引戸用ストライク全体を小型化できる。またこれとは逆にその寸法分、板厚を大きく設定でき、剛性の高い構造を得ることができ、耐久性、防犯性等の向上が得られる。
【発明を実施するための最良の形態】
【００１９】
以下、本発明に係る引戸用ストライクの好適な実施の形態を図面を参照して詳細に説明する。
図１は本発明に係る引戸用ストライクの斜視図、図２は図１に示した引戸用ストライクの縦断面図、図３は図１の引戸用ストライクが用いられた引戸錠の施錠前の状態を表す縦断面図、図４は図１の引戸用ストライクが用いられた引戸錠の施錠後の状態を表す縦断面図である。
本実施の形態による引戸用ストライク１００は、図１に示すように、トロヨケ１１と、カマ係合金具１３と、化粧板１５とを有し、引戸１７（図３参照）の縦框１９が対向して当接する縦枠２１に取り付けられる。カマ係合金具１３には、引戸１７に内蔵された錠本体２３から突出するカマ錠２５が係合される。
【００２０】
引戸用ストライク１００は、図３に示すように、建物側の縦枠２１に取り付けられた状態で、カマ係合金具１３の掛合部２７が化粧板１５から突出される。そして、図４に示すように、引戸１７が閉められると、掛合部２７が錠本体２３に設けられたスライダー２９を押圧しながら、錠本体２３内に挿入される。これにより、錠本体２３に設けられた施錠機構によってカマ錠２５が時計回りに回動されて突出し、トロヨケ１１の凹部３１に進入した後、さらに回転されて掛合部２７の背面に係合される。錠本体２３は、ロック摘み３３ａが押し下げられることで、ロック部材３３がカマ錠２５の後部に移動されてカマ錠２５の揺動を規制し、カマ錠２５とスライダー２９とで掛合部２７を挟持した施錠状態となる。
【００２１】
図５は図１に示した引戸用ストライクの分解斜視図である。
トロヨケ１１は、一側面の開口した箱状の凹部３１を有している。凹部３１の上下の開口縁部には鍔部３５，３５が延出形成され、鍔部３５にはネジ穴３７が形成されている。トロヨケ１１は、凹部３１が縦枠２１に凹設され、鍔部３５が縦枠２１の戸当たり面に平行になるように取り付けられる。このトロヨケ１１は、例えば厚さ１．６ｍｍ程度の鋼材（ＳＰＣＣ）を用いて製作される。
【００２２】
カマ係合金具１３は、長板を平行に対面させた一対の脚部３９，３９を有している。脚部３９，３９は、上下方向の寸法が、凹部３１の上下方向の内寸より小さく形成される。脚部３９，３９の上端部には略Ｕ字状に屈曲された掛合部２７が架橋される。つまり、一対の脚部３９，３９は、この掛合部２７によって一体に連結されている。したがって、カマ係合金具１３は、脚部３９，３９が凹部３１に収容された状態で、掛合部２７のみが凹部３１から突出するようになっている。このカマ係合金具１３は、例えば厚さ２．０ｍｍ程度の鋼材（ＳＵＳ４３０）を用いて製作される。
【００２３】
化粧板１５には、カマ係合金具１３の掛合部２７を貫通させ且つ引戸１７の縦框１９から突出されるカマ錠２５を凹部３１へ進入させるためのカマ進入穴４１が形成されている。カマ進入穴４１は、上部が、カマ係合金具１３の掛合部２７の幅と略同一に形成され、下部が、カマ錠２５の厚みと略同一に形成されている。つまり、カマ錠２５は、このカマ進入穴４１の下部から先端が凹部３１内に進入した後、上方向へ回り込むことで掛合部２７の背面に係合するようになっている。
【００２４】
化粧板１５には上下一対の取付穴４３，４３が穿設されている。化粧板１５は、この取付穴４３，４３に挿通された化粧板固定部材としての化粧板固定ネジ（図示せず）をトロヨケ１１及び縦枠２１に挿着し螺合することで、縦枠２１に略面一に固定される。縦枠２１に固定された化粧板１５は、カマ係合金具１３の、トロヨケ１１の凹部３１からの脱落を阻止している。
【００２５】
トロヨケ１１と化粧板１５との間には調整ネジ４９が回動自在且つ脱落不能にに支持され、調整ネジ４９は操作部４９ａが化粧板１５の表面に表出する。調整ネジ４９には駆動ナット５１が螺合され、駆動ナット５１は両側面に突設された軸５１ａ，５１ａがトロヨケ１１の横溝５３に係合される。駆動ナット５１は、調整ネジ４９の操作部４９ａがドライバ５５（図６参照）等の回転工具で回動されることで、横溝５３にガイドされて調整ネジ４９の軸線方向に移動される。
【００２６】
駆動ナット５１とカマ係合金具１３との間にはサイドブラケット５７が介装され、サイドブラケット５７は駆動ナット５１の移動に従動して上下動することで、カマ係合金具１３を引戸開閉方向に進退駆動する。すなわち、サイドブラケット５７は、駆動ナット５１の軸５１ａ，５１ａに係合して、駆動ナット５１の略水平（前後）方向の移動によりサイドブラケット５７自体を上下動させる第１傾斜溝５９と、カマ係合金具１３の固定孔１３ａに固定されたピン６１に係合してサイドブラケット５７の上下動によってピン６１を介しカマ係合金具１３を進退駆動する第２傾斜溝６３とを備える。
【００２７】
サイドブラケット５７の両側板には第１傾斜溝５９，５９が一対形成されている。カマ係合金具１３には上下一対のピン６１，６１が固定孔１３ａに固定される。サイドブラケット５７の両側板には一対の第２傾斜溝６３，６３が上下二箇所の合計二対で形成され、それぞれの第２傾斜溝６３はピン６１，６１の両端をガイドする。
【００２８】
また、トロヨケ１１の一対の側壁３１ａ，３１ｂには略水平な横方向に長い一対の長穴６５，６５が上下二箇所の合計二対で形成され、それぞれの長穴６５，６５はピン６１，６１の両端をガイドする。
【００２９】
ここで、第２傾斜溝６３は、第１傾斜溝５９よりも下り方向に急傾斜で形成されている。なお、図５中、６７はトロヨケカバー、６９は係止爪を示す。
【００３０】
次に、上記のように構成された引戸用ストライクの作用を説明する。
図６はカマ係合金具が後退位置となった引戸用調整式ストライクの縦断面図、図７はカマ係合金具が突出位置となった引戸用調整式ストライクの縦断面図である。
この引戸用ストライク１００では、化粧板１５に表出する調整ネジ４９の操作部４９ａがドライバ５５等によって回動されると、調整ネジ４９に螺合した駆動ナット５１が引戸開閉方向へ移動され、この駆動ナット５１に係合したサイドブラケット５７が上下動される。
【００３１】
サイドブラケット５７が上下動すると、サイドブラケット５７に係合したカマ係合金具１３が引戸開閉方向へ進退移動される。つまり、カマ係合金具１３は、駆動ナット５１が移動することで、サイドブラケット５７を介して引戸開閉方向へ進退調整が可能となっている。
【００３２】
駆動ナット５１とカマ係合金具１３との間にサイドブラケット５７が介在し、駆動ナット５１と第１傾斜溝５９、第２傾斜溝６３とピン６１の二箇所の係合構造によって、カマ係合金具１３が間接的に駆動される。これにより、駆動ナット５１によりカマ係合金具１３が直接駆動される場合に比べ、引戸閉鎖時の衝撃が駆動ナット５１に伝達され難くなり、長期に渡って掛合部２７が変位し難く保持されるようになっている。
【００３３】
より具体的には、調整ネジ４９が回動され、軸５１ａ，５１ａが横溝５３に沿って移動されると、軸５１ａ，５１ａに第１傾斜溝５９を係合したサイドブラケット５７が上下動する。サイドブラケット５７が上下動すると、第２傾斜溝６３にピン６１を介して係合したカマ係合金具１３が、ピン６１の長穴６５，６５に沿った移動により引戸開閉方向に進退駆動されることになる。図６に示すように、駆動ナット５１が前方に移動され、サイドブラケット５７が下降されれば、カマ係合金具１３が突出される。これとは逆に、図７に示すように、駆動ナット５１が後方に移動され、サイドブラケット５７が上昇されれば、カマ係合金具１３が後退される。
【００３４】
そして、第２傾斜溝６３の傾斜角度Ａが、第１傾斜溝の傾斜角度Ｂよりも下り方向に急傾斜で形成されていることで、調整ネジ４９側の操作力が小さくなり、チリ調整が容易になるとともに、カマ係合金具１３側の衝撃耐力が大きくなり、掛合部２７が変位し難くなっている。また、カマ係合金具１３側の第２傾斜溝６３が、急傾斜であることから、引戸開閉方向の距離の短縮が可能となり、その分、トロヨケ１１、サイドブラケット５７、カマ係合金具１３の奥行き寸法（引戸開閉方向の寸法）が浅く形成可能となっている。
【００３５】
したがって、上記の引戸用ストライク１００によれば、トロヨケ１１に収容され掛合部２７が突出されるカマ係合金具１３と、縦枠２１に固定されカマ進入穴４１の形成された化粧板１５と、化粧板１５に操作部４９ａが表出し駆動ナット５１が移動自在に螺合された調整ネジ４９と、駆動ナット５１とカマ係合金具１３との間に介装され駆動ナット５１の移動に従動してカマ係合金具１３を引戸開閉方向に進退駆動するサイドブラケット５７とを備えたので、化粧板１５に表出する調整ネジ４９を回動することで、サイドブラケット５７を介してカマ係合金具１３の引戸開閉方向への調整を可能にすることができる。この結果、チリ寸法の調整を可能とし、確実な施錠状態を実現して、メンテナンス性も向上させることができる。
【００３６】
これにより、各部材の寸法誤差により、或いは、経年摩耗で互いの掛かり具合が変化した場合であっても、縦枠２１と引戸１７とに生じる間隙であるチリを調整でき、閉鎖時において引戸１７が正しく閉まらない状態を解消できる。この他、施工作業性上、カマ錠２５の掛かる位置、すなわち、掛合部２７の出寸法を調整可能とし、誤差を解消して、チリ寸法を設計通りに設定できる。また、掛かり具合を調整し、風や振動による引戸１７のガタツキも排除することが可能となる。
【００３７】
さらに、駆動ナット５１とカマ係合金具１３との間にサイドブラケット５７が介在し、駆動ナット５１と第１傾斜溝５９、第２傾斜溝６３とピン６１の二箇所の係合構造によってカマ係合金具１３が間接的に駆動されるので、駆動ナット５１によりカマ係合金具１３が直接駆動される場合に比べ、引戸閉止時の衝撃が駆動ナット５１に伝達され難くなり、長期に渡って掛合部２７を変位し難く保持できる。これにより、チリ寸法が増大することによる見栄えの低下を防止することができる。
【００３８】
また、第２傾斜溝６３が、第１傾斜溝５９よりも下り方向に急傾斜で形成されたので、調整ネジ４９側の操作力を小さくしてチリ調整を容易にできるとともに、カマ係合金具１３側の衝撃耐力を大きくして、掛合部２７を変位し難くできる。また、カマ係合金具１３側の第２傾斜溝６３は、急傾斜なので、引戸開閉方向の距離を短くでき、その分、トロヨケ１１、サイドブラケット５７、カマ係合金具１３の奥行き寸法（引戸開閉方向の寸法）を浅くして、引戸用ストライク１００全体を小型化できる。またこれとは逆にその寸法分、板厚を大きく設定でき、剛性の高い構造を得ることができ、耐久性、防犯性等の向上が得られる。
【００３９】
なお、上記した引戸用ストライク１００は、調整ネジ４９を覆う化粧板をもう１枚追加することで、操作部４９ａが表出せず、回動される等の悪戯を防止することができる。
【図面の簡単な説明】
【００４０】
【図１】本発明に係る引戸用ストライクの斜視図である。
【図２】図１に示した引戸用ストライクの縦断面図である。
【図３】図１の引戸用ストライクが用いられた引戸錠の施錠前の状態を表す縦断面図である。
【図４】図１の引戸用ストライクが用いられた引戸錠の施錠後の状態を表す縦断面図である。
【図５】図１に示した引戸用ストライクの分解斜視図である。
【図６】カマ係合金具が後退位置となった引戸用ストライクの縦断面図である。
【図７】カマ係合金具が突出位置となった引戸用ストライクの縦断面図である。
【符号の説明】
【００４１】
１１…トロヨケ
１３…カマ係合金具
１５…化粧板
１７…引戸
２１…縦枠
２５…カマ錠
２７…掛合部
３１…凹部
３９…脚部
４１…カマ進入穴
４９…調整ネジ
４９ａ…操作部
５１…駆動ナット
５７…サイドブラケット
５９…第１傾斜溝
６１…ピン
６３…第２傾斜溝
１００…引戸用ストライク
【図１】
2008297813.tif 000003
【図２】
2008297813.tif 000004
【図３】
2008297813.tif 000005
【図４】
2008297813.tif 000006
【図５】
2008297813.tif 000007
【図６】
2008297813.tif 000008
【図７】
2008297813.tif 000009